(57)【要約】      （修正有）【課題】高出力で長さ制限のない高出力ＬＥＤ器具一体型照明を提供する。【解決手段】ＰＣカバー１９、アルミヒートシンク１１と左右蓋（内蓋と外蓋を含む）が含まれる高出力ＬＥＤ一体型照明である。左右蓋は内蓋８と外蓋４を含む。アルミヒートシンクとＰＣカバーは左右蓋で四つのネジで固定される。外蓋４は外蓋の固定ネジ２にて内端カバー８に固定される。アルミヒートシンク１１の内部には、ＰＣＢ基盤１０、光源１２、電源、バッテリーシステム１６と固定基盤１７が設置される。照明設置固定用として、アルミヒートシンクの裏面にネジパイプを通したスナップ１３を基本部品として提供される。内蓋８と外蓋４の間に配線端子６と密封ワッシャー７が設置される。配線端子６は防水コネクタ３に連結して設置する。外蓋４の固定ネジ２穴にゴムパッキング１を付ける。【選択図】図２
0003194125.tif 000002
【実用新案登録請求の範囲】
【請求項１】
ＰＣカバー（１９）、アルミヒートシンク（１１）と左右蓋が含まれる高出力ＬＥＤ器具一体型照明であって、
左右蓋は、内蓋（８）と外蓋（４）を含み、
アルミヒートシンクとＰＣカバーは左右蓋と四つのネジで固定され、
外蓋（４）は外蓋の固定ネジ（２）にて内端カバー（８）に固定され、
アルミヒートシンク（１１）の内部構造には、ＰＣＢ基盤（１０）、光源（１２）、電源、バッテリーシステム（１６）と固定基盤（１７）が設置され、
照明設置固定用として、アルミヒートシンク（１１）の裏面にネジパイプを通したスナップ（１３）が基本部品として提供され、
内蓋（８）と外蓋（４）の間に配線端子（６）と密封ワッシャー（７）が設置され、
配線端子（６）は防水コネクタ（３）に連結して設置され、
外蓋（４）の固定ネジ（２）穴にゴムパッキング（１）が付けられる、
高出力ＬＥＤ器具一体型照明。
【請求項２】
前記外蓋（４）に防水配線口（２５）がある、
ことを特徴とする請求項１に記載の高出力ＬＥＤ器具一体型照明。
【請求項３】
前記内蓋（８）の内側にはゴムワッシャー（９）がある、
ことを特徴とする請求項１に記載の高出力ＬＥＤ器具一体型照明。
【請求項４】
前記防水コネクタ（３）にはボルト（１８）がある、
ことを特徴とする請求項１に記載の高出力ＬＥＤ器具一体型照明。
【考案の詳細な説明】
【技術分野】
【０００１】
本考案（実用新案）は、照明の技術領域に関し、特に、高出力ＬＥＤ器具一体型照明に関する。
【背景技術】
【０００２】
防塵、防水、防腐という機能を備える照明灯具は、三防器具一体型照明と言われる。現在市場にあるこの灯具の外側は、上下の二つのプラスチックのカバーに密封ワッシャーを加えた構成である。灯具の内部には主に普通の蛍光灯あるいはＬＥＤ直管ランプを取り付ける。カバーはマシンのインジェクション成形で作られるため、マシンの規模の制限により、現在では１．５メートル以上の灯具は生産できない。また、プラスチックカバーを採用しているため放熱性が悪く、これが光源の寿命に影響してしまう。そのほか、灯具の最高出力にも制限がある。通常、この灯具の最高出力は１２０ｗを超えることはない。
【考案の概要】
【考案が解決しようとする課題】
【０００３】
既存の器具技術の欠点を克服するため、本考案（実用新案）の高出力で長さ制限がされない高出力ＬＥＤ器具一体型照明を開発提供する。
【課題を解決するための手段】
【０００４】
本考案（実用新案）は、以下の技術構想で実現される。
ＰＣカバー（下ＰＣカバー）、アルミヒートシンク（上ＰＣカバー）と左右蓋（内蓋と外蓋を含む）が含む高出力ＬＥＤ一体型照明である。左右蓋は内蓋と外蓋を含む。アルミヒートシンクとＰＣカバーは左右蓋と四つのネジで固定する。外蓋は外蓋の固定ネジにて内端カバーと固定する。アルミヒートシンクの内部には、ＰＣＢ基盤、光源、電源、バッテリーシステムと固定基盤が設置される。照明設置固定用として、アルミヒートシンクの裏面にはネジパイプを通したスナップ（落下防止向上）が基本部品として提供される。内蓋と外蓋の間に配線端子と密封ワッシャーを設置する。配線端子は防水コネクタに連結して設置する。外蓋の固定ネジ穴にゴムパッキングを付ける（防水性能向上）。
【０００５】
好ましくは、外蓋に防水配線口がある。
【０００６】
好ましくは、内端の蓋の内側にはゴムワッシャーがある。
【０００７】
好ましくは、防水コネクタにボルトがある。
【考案の効果】
【０００８】
既存の製品技術と比べて、本考案（実用新案）は以下の効果を有する。
【０００９】
１．  灯具の長さの長短を選択することができる。押し出しのアルミ材料、押し出しのｐｃカバー、円柱状シリコンノリの採用により、ＩＰ６６防護レベルを充たした上で、灯具の長さの自由化が実現され、灯具の長さの要求に対し容易に対応することができる。
【００１０】
２．  灯具は放熱性に優れ、照明の出力を自由に設定でき、最大２５０ｗ／ｍにまで対応することができる。これにより実用使用環境領域がさらに拡大され、街路灯や集魚灯、工場灯、トンネル照明などでの使用が実現できる。
【００１１】
３．  長寿命であり、取り付けが簡単であり、メンテナンス面にも優れる。
【００１２】
４．  バッテリーシステム（放充電回路、バッテリー、パイロットランプを含む）への応用では、電気が切れても３時間ほど点灯することができる。
【図面の簡単な説明】
【００１３】
【図１】姿図。
【図２】構造説明図。
【図３】防水配線口側、外蓋構造図。
【考案を実施するための形態】
【００１４】
本考案（実用新案）の目的、技術構想と長所をわかりやすくするため、図と実施例を加え、本考案（実用新案）をより詳しく説明する。ここで述べる実施例は説明のために用いるだけであり、本考案（実用新案）を限定すべきではない。
【００１５】
図１−３に示すように、本考案は、ＰＣカバー（１９）、アルミヒートシンク（１１）と左右蓋（内蓋と外蓋を含む）が含まれる高出力ＬＥＤ一体型照明である。左右蓋は内蓋（８）と外蓋（４）を含む。アルミヒートシンクとＰＣカバーは左右蓋で四つのネジで固定される。外蓋（４）は外蓋の固定ネジ（２）にて内端カバー（８）に固定される。アルミヒートシンク（１１）の内部には、ＰＣＢ基盤（１０）、光源（１２）、電源、バッテリーシステム（１６）と固定基盤（１７）が設置される。照明設置固定用として、アルミヒートシンクの裏面にネジパイプを通したスナップ（落下防止向上）（１３）を基本部品として提供される。内蓋（８）と外蓋（４）の間に配線端子（６）と密封ワッシャー（７）が設置される。配線端子（６）は防水コネクタ（３）に連結して設置する。外蓋（４）の固定ネジ（２）穴にゴムパッキング（１）を付ける（防水性能向上）。
【００１６】
注意すべきは、外端カバー（４）に防水配線口（２５）があることである。
【００１７】
注意すべきは、内蓋（８）の内側にはゴムワッシャー（９）があることである。
【００１８】
注意すべきは、防水コネクタ（３）にボルト（１８）があることである。
【００１９】
本考案（実用新案）は以下の効果を実現できる。
１．灯具の長さの長短を選択することができる。押し出しのアルミ材料、押し出しのｐｃカバー、円柱状シリコンノリの採用により、ＩＰ６６防護レベルを充たした上で、灯具の長さの自由化が実現され、灯具の長さの要求に対し容易に対応することができる。
【００２０】
２．灯具は放熱性に優れ、照明の出力を自由に設定でき、最大２５０ｗ／ｍにまで対応することができる。これにより実用使用環境領域がさらに拡大され、街路灯や集魚灯、工場灯、トンネル照明などでの使用が実現できる。
【００２１】
３．長寿命であり、取り付けが簡単であり、メンテナンス面にも優れる。
【００２２】
４．バッテリーシステム（放充電回路、バッテリー、パイロットランプを含む）への応用では、電気が切れても３時間ほど点灯することができる。
【００２３】
以上は本考案（実用新案）の優先的に選択した実施方式である。本技術領域の普通の技術者にとって、本考案（実用新案）の原理を保った上で、若干の改善と修正をすることができ、これらの改善と修正は本考案（実用新案）の保護範囲と考慮されるべきである。
【符号の説明】
【００２４】
１０  ＰＣＢ基盤
１１  アルミヒートシンク
１２  光源
１９  ＰＣカバー
１６  バッテリーシステム
１７  固定基盤
【図１】
0003194125.tif 000003
【図２】
0003194125.tif 000004
【図３】
0003194125.tif 000005